(57)【要約】【課題】人間が持ち運ぶ高さからプロジェクタ本体が落下した場合でもカバーグラスの破損を防止でき、簡易かつ組み立て容易な構成のカバーグラスの保持部材を備えたプロジェクタを提供する。【解決手段】プロジェクタはランプユニット１０を備え、ランプユニット１０は、光を発するランプ１３と遮蔽材２を有してランプ１３を覆うランプカバー３と、ランプユニット１０の光が放出され遮蔽材２に設けた開口部２５に４角形の板状のカバーグラス７と、これをカバーグラス７の上から被せて固定する保持部材８を備える。また、遮蔽材２は、カバーグラス７の対角線上の角を保持する突起部２６１〜２６４を備える。カバーグラス７は、突起部２６１〜２６４の内側に取り付けられている。保持部材８は１つの板状部材であり、カバーグラス７の４辺を押さえるつば部８２１〜８２４を備える。【選択図】図３
2007272039.tif 000002
【特許請求の範囲】
【請求項１】
ランプユニットから放出された光を用いて、画像をスクリーンに投影するプロジェクタにおいて、
前記ランプユニットは、
光源であるランプと、
前記ランプが発光した光を外部に放出する開口部を形成した遮蔽部材と、
前記遮蔽部材の前記開口部に取り付けるカバーグラスと、
前記カバーグラスを、前記遮蔽部材とで挟み込んで保持する保持部材と、を備え、
前記保持部材は、１枚の板金を折り曲げて形成され、前記カバーグラスの複数の側辺に対向して各々設けられたつば部を有し、
前記遮蔽部材は、前記カバーグラスの取り付け面側に、このカバーグラスの隣接していない２つの角の位置に突起部を有している、プロジェクタ。
【請求項２】
ランプユニットから放出された光を用いて、画像をスクリーンに投影するプロジェクタにおいて、
前記ランプユニットは、
光源であるランプと、
前記ランプが発光した光を外部に放出する開口部を形成した遮蔽部材と、
前記遮蔽部材の前記開口部に取り付けるカバーグラスと、
前記カバーグラスを、前記遮蔽部材とで挟み込んで保持する保持部材と、を備え、
前記保持部材は、前記カバーグラスの複数の側辺に対向して各々設けられたつば部を有している、プロジェクタ。
【請求項３】
前記遮蔽部材は、前記カバーグラスの取り付け面側に、このカバーグラスの隣接していない２つの角の位置に突起部を有している請求項２に記載のプロジェクタ。
【請求項４】
前記保持部材は、１枚の板金を折り曲げて形成されている請求項２または請求項３に記載のプロジェクタ。
【発明の詳細な説明】
【技術分野】
【０００１】
本発明は、ランプを用いて、画像を投射レンズの前方のスクリーンに投影するプロジェクタに関する。
【背景技術】
【０００２】
従来、ランプを用いて、画像を投射レンズの前方のスクリーンに投影するプロジェクタが実用化されている。このプロジェクタでは、ランプユニットの光が放出される開口部を有すると共に、この開口部以外から光が漏洩するのを防ぐランプカバーを備えているものが実用化されている。このプロジェクタでは、光源ランプの光に含まれる紫外線が外部に漏れるのを防ぐため、所定範囲の波長の光を透過し、紫外線をカットするカバーグラスをこの開口部に備えている。また、この紫外線がランプカバーを透過して漏れることを防ぐため、このランプカバーをプラスチック樹脂でなく、アルミ合金製にする傾向がある。
【０００３】
また、このランプ周辺は非常に高温になるため、カバーグラスが破損しやすく、ひずみやすい。この対策として、例えば特許文献１では、カバーグラスが熱膨張した場合にカバーグラスのひずみを防止するための構成が開示されている。カバーグラスの４辺を保持するため、４つの保持部材をそれぞれねじ止めした構成が開示されている。特許文献１の構成では、熱膨張を考慮して保持部材の互いの間隔をカバーグラスの幅より余裕を持たせたり、弾性部材でカバーグラスを保持したりしている。
【特許文献１】特開平７−６３９６６号公報
【発明の開示】
【発明が解決しようとする課題】
【０００４】
特許文献１の構成をこのランプカバーに採用すれば、カバーグラスを保持する保持部材をそれぞれ取り付け、取り付け時にカバーグラスを手で押さえる必要があり、組み立てが容易でない。そこで、カバーグラスの組み立てを容易にするために、カバーグラスの位置決め部材としてカバーグラスのうちの２つの角を位置決めする位置決め用の突起をランプユニットの光が放出される開口部に設けることがなされている。
【０００５】
しかしながら、開口部を含むアルミ合金製にすれば、このアルミ合金は硬いので、前述のように人間が持ち運ぶ高さから落下した場合に、カバーグラスの保持部分がカバーグラスのショックを和らげることができず、カバーグラスの角が破損する問題があった。
【０００６】
そこで、本発明は、人間が持ち運ぶ高さからプロジェクタ本体が落下した場合でもカバーグラスの破損を防止でき、簡易かつ組み立て容易な構成のプロジェクタを提供する。
【課題を解決するための手段】
【０００７】
本発明は、上述の課題を解決するための手段を以下のように構成している。
【０００８】
（１）  ランプユニットから放出された光を用いて、画像をスクリーンに投影するプロジェクタにおいて、
前記ランプユニットは、
光源であるランプと、
前記ランプが発光した光を外部に放出する開口部を形成した遮蔽部材と、
前記遮蔽部材の前記開口部に取り付けるカバーグラスと、
前記カバーグラスを、前記遮蔽部材とで挟み込んで保持する保持部材と、を備え、
前記保持部材は、前記カバーグラスの複数の側辺に対向して各々設けられたつば部を有している。
【０００９】
この構成では、カバーグラスを遮蔽部材とで挟み込んで保持する保持部材を備えている。これにより、通常使用時には保持部材と遮蔽部材がカバーグラスを挟み込む摩擦力でカバーグラスを保持する。仮にプロジェクタが落下した場合には、前記カバーグラスの複数の側辺に対向した保持部材のつば部が前記カバーグラスの辺を保持するので、カバーグラスに加わる衝撃を分散できる。このように、１つの保持部材を取り付けた簡易かつ組み立て容易な構成でありながら、カバーグラスの角の破損を防止することができる。
【００１０】
（２）  前記遮蔽部材は、前記カバーグラスの取り付け面側に、このカバーグラスの隣接していない２つの角の位置に突起部を有している。
【００１１】
この構成では、前記カバーグラスの取り付け面側に、このカバーグラスの隣接していない２つの角の位置に突起部を有しているので、突起部がカバーグラスの位置決めの働きをする。したがって、この構成では、カバーグラスの位置を容易に位置決めできる。
【００１２】
（３）  前記保持部材は、１枚の板金を折り曲げて形成されている。
【００１３】
この構成では、保持部材は１枚の板金を折り曲げて形成されているので、この保持部材を、より一層簡易に構成できる。
【発明の効果】
【００１４】
本発明によれば、人間が持ち運ぶ高さからプロジェクタ本体が落下した場合でも、１つの保持部材を取り付けた簡易かつ組み立て容易な構成でありながら、カバーグラスの角の破損を防止することができる。
【発明を実施するための最良の形態】
【００１５】
図１は、プロジェクタ内部の概略構造を示す斜視図である。以下、プロジェクタ１の構成について説明する。ランプユニット１０は、遮蔽材２を含むランプカバー３と、その内部にランプ１３を備えている。ランプ１３は、画像投射用の光を出射する。ランプカバー３は、ランプ１３の外側に設けられたカバーである。遮蔽材２は、ランプ１３の光を覆うものであり、ランプが発光した光を画像投射ユニット１１に放出する開口部が設けられている。
【００１６】
画像投射ユニット１１は、ＤＭＤ等の画像表示デバイスやカラーホイール（不図示）、投射レンズ１２を備え、ランプユニット１０からの光を用いてスクリーン上に画像を投影する。メインファン５０〜５１は、空気を対流させて、筐体９内部の温度を下げる。この対流した空気の一部は、吸気口１４からランプユニット１０に導かれ、排気口１５から排出される。このランプユニット１０内部の空気の対流により、高熱を発するランプ１３の温度を下げる。筐体９は、プロジェクタ１の各部を格納する箱である。
【００１７】
図２を用いて、遮蔽材２の構成について詳しく説明する。図２は、この遮蔽材２の部品図である。図２（Ａ）は、プロジェクタ１の上面から見た平面図である。図２（Ｂ）は、図１のＡ−Ａ方向から見た矢視図である。なお、図２は、２点鎖線で、ランプカバー３、ランプ１３、排気口１５、カバーグラス７の配置を示している。
【００１８】
遮蔽材２は、遮蔽材２を介して紫外線が透過するのを防ぐため、アルミ合金製とする。遮蔽材２のフランジ２０は、ランプ１３のカバーとなるランプカバー３に遮蔽材２を取り付けるためのつば部である。
【００１９】
胴体２１は、内部が空洞である略８角形の筒状体で形成されている。胴体２１は、フランジ２０と反対側に平らな取り付け面２１１があり、取り付け面２１１には開口部２５が開設されている。
取り付け部２２〜２３は、ランプユニット１０の遮蔽材２側を固定するための平板であり、内側にボルトを通す孔を備える。
【００２０】
開口部２５は、前述のとおり取り付け面２１１に開設した孔であり、これに取り付けるカバーグラス７よりも小さく形成されている。開口部２５と後述する保持部材８（図３参照。）とでカバーグラス７を挟み込んで固定するためである。ランプ１３の光を画像投射ユニット１１に放出する。また、開口部２５には、２点鎖線で示す４角形の板状のガラスで構成されたカバーグラス７を取り付ける。
【００２１】
突起部２６１〜２６４は、取り付け面２１１上に、４角形のカバーグラス７の対角線上の２つの角が納まるように設けられ、遮蔽材２と一体成形されている。突起部２６１〜２６４は、カバーグラス７の対角線上の角を位置決めする。これにより、カバーグラス７をランプカバー２に組み立てることが容易になる。
【００２２】
位置決めピン２７１〜２７２は、後述する保持部材８（後述、図３参照。）を固定する際の位置決めピンである。位置決めピン２７１〜２７２は、胴体２１に一体成形するか、胴体２１に穴を開けて位置決めピンを打ち込むことにより形成される。取り付け穴２８１〜２８２は、保持部材８をボルトで固定するためのねじ切り穴である。なお、この保持部材８は、取り付け面２１１に取り付けたカバーグラス７の上から被せられて、取り付け穴２８１〜２８２で、ボルトにより固定される。
【００２３】
図３を用いて、保持部材８の構成と、カバーグラス７、保持部材８の取り付け方法について説明する。図３（Ａ）は、保持部材８の部品図である。図３（Ｂ）は、この保持部材８をランプカバーに組み込んだ状態を図１のＡ−Ａ方向から見た矢視図である。
【００２４】
図３（Ａ）に示すように、保持部材８は、１枚の板を折り曲げて形成されている。保持部材８は、例えばアルミ板とすることができる。以下、保持部材８の各部について説明する。
【００２５】
カバーグラス収納部８０は、カバーグラス７を収納するくぼみ部分であり、カバーグラス７を遮蔽材２に押し付けて固定する収納部である。孔８１は、ランプ１３の光を通すためにカバーグラス７の形状に合わせて開いている。つば部８２１〜８２４は、孔８１側に延設した突起部を取り付け部８６１〜８６２側に折り曲げたつば部であり、保持部材８を取り付けたときには、保持部材８のつば部８２１〜８２４は、カバーグラス７の４辺それぞれに対向し、この４辺を同時に覆う。つば部８２１〜８２４の内側の領域は、ランプ１３の熱によりカバーグラス７が膨張することを考慮して、カバーグラス７の幅より大きく形成されている。また、突起部２６１〜２６４(図２参照)で囲まれる領域は、つば部８２１〜８２４の内側で囲まれる領域よりもさらに大きく形成されている（図示省略。）。これにより、プロジェクタ１が落下したときに、カバーグラス７の角でなく辺が突起部２６１〜２６４に当たるので、カバーグラス７の角が破損しない。
【００２６】
Ｒ部８３１〜８３４は、孔８１の４角に設けられた円弧である。Ｒ部８３１〜８３４は、保持部材８をカバーグラス７に被せたときに、このＲ部８３１〜８３４の外側の部分がカバーグラス７の外周部分より内側の位置にカバーグラス７と接するよう形成されているので、保持部材８は、Ｒ部８３１〜８３４によりカバーグラス７の角を遮蔽材２に押し付けることができる。
【００２７】
なお、Ｒ部８３１〜８３４は、面取りに置き換えることができる。このようにしても、孔８１の一部は、カバーグラス７の外周より内側に形成されているので、保持部材８は、この面取り部分でカバーグラス７の４つの角を遮蔽材２に押し付けることができ、カバーグラス７を保持できる。
【００２８】
屈曲部８５１、８５２は、保持部材８の中央部にあるカバーグラス収納部８０から両脇へつながる部分であり、クランク状に２度折り曲げた部分である。
取り付け部８６１は、屈曲部８５１に連続する部分であり、遮蔽材２に取り付ける部分である。取り付け部８６２は、屈曲部８５２に連続する部分であり、保持部材８を遮蔽材２に取り付ける部分である。位置決め用孔８７１〜８７２は、保持部材８を遮蔽材２に取り付けるときに位置決めするための孔である。取り付け孔８８１〜８８２は、遮蔽材２に取り付けるときにねじ止めするための孔である。
【００２９】
図３（Ｂ）を用いて、カバーグラス７、保持部材８を遮蔽材２に取り付ける方法について説明する。
まず、遮蔽材２の突起部２６１〜２６４の内側にカバーグラス７を載置する。このように載置することにより、カバーグラス７を容易に位置決めできる。
【００３０】
次に、カバーグラス７の上から保持部材８を遮蔽材２に取り付ける。このとき、カバーグラス収納部８０のくぼみをカバーグラス７に合わせる。また、保持部材８の位置決め用孔８７１を遮蔽材２の位置決めピン２７１に被せ、位置決め用孔８７２を遮蔽材２の位置決めピン２７２に被せる。このようにして保持部材８を取り付けると、保持部材８がカバーグラス７を覆い、取り付け穴２８２と取り付け孔８８２がそれぞれ重なると共に、保持部材８のつば部８２１〜８２４がカバーグラス７の周りに同時に配置される。
【００３１】
次に、取り付け孔８８１、取り付け孔８８２にねじを挿入してこのねじを遮蔽材２に固定する。このように保持部材８をカバーグラス７の上から遮蔽材２に取り付けると、カバーグラス７が保持される。カバーグラス７の面と垂直な方向の保持については、保持部材８のＲ部８３１〜８３４の外側の部分が、カバーグラス７の４つの角を遮蔽材２に押し付けており、カバーグラス７を保持できる。また、カバーグラス７の面と平行な方向の保持については、保持部材８がカバーグラス７を遮蔽材２に押し付けていることによる摩擦力により保持される。
【００３２】
前述のとおり、保持部材８のつば部８２１〜８２４は、カバーグラス７が熱膨張した場合を考慮して、カバーグラス７の幅より大きな間隔で配置されている。したがって、保持部材８がカバーグラス７の角および辺を直接保持するものではないが、プロジェクタ１の落下時には、保持部材８のつば部８２１〜８２４は、カバーグラス７の４辺のいずれかを保持する。
【００３３】
また、２つの角を覆う遮蔽材２の突起部２６１〜２６４で囲まれる領域を、カバーグラス７の４辺を覆うつば部８２１〜８２４で囲まれる領域よりもさらに大きくしているから、プロジェクタ１が落下したときに、カバーグラス７の角でなく、カバーグラス７の辺と突起部２６１〜２６４のいずれかとが当たることになる。これにより、プロジェクタ１の落下時にカバーグラス７に加わる衝撃が分散される。実際に、発明者の試験によれば、人間が持ち運ぶ高さからプロジェクタ１を落下させた場合に、カバーグラス７の４つの辺、角が破損しないことが確かめられている。
【００３４】
また、カバーグラス７の取り付け工程では、カバーグラス７を突起部２６１〜２６４の内側にはめ込み、保持部材８を位置決めピン２７１、２７２に被せて、取り付け穴２８１、２８２にボルトで固定するだけなので、組み立て容易である。特許文献１のようにカバーグラスの４辺のうちの２辺に対応する保持部材をねじ止めした後、カバーグラスを保持部材に挿入して、さらに保持部材をカバーグラスに挿入し、調整しつつねじ止めするといった面倒な動作は必要がない。
【００３５】
以上のとおり、本実施形態のプロジェクタ１は、簡易かつ組み立て容易な保持部材８の構成でありながら、プロジェクタ本体が落下した場合でもカバーグラス７の破損を防止できる。
【００３６】
なお、保持部材８を薄い板で構成するなどして、つば部８２１〜８２４に弾性を持たせると、前述した落下時にカバーグラス７の４辺の衝撃を吸収するので、より一層確実にカバーグラス７の角が破損しないようにすることができる。ただし、プロジェクタ１の落下時にカバーグラス７の角を保持する突起部２６１〜２６４が当たらないようにするため、このつば部８２１〜８２４の弾性によるカバーグラス７が移動可能な領域よりも、突起部２６１〜２６４の間隔を大きくとるようにする。
【００３７】
また、この遮蔽材２の突起部２６１〜２６４がない構成でもよい。このようにした場合でも、人間が持ち運ぶ高さからプロジェクタ１の落下させた場合に、保持部材８のつば部８２１〜８２４によりカバーグラス７の辺が保持され、カバーグラス７の角が破損しない。
【００３８】
また、以上の説明では、カバーグラス７が４角形の場合を説明したが、多角形、例えば３角形でもよい。以上の説明では、つば部８２１〜８２４がカバーグラス７の４辺を保持しているが、４辺のうちのいくつかの辺でもよい。カバーグラス７が４角形以外の多角形の場合も同様である。ただし、つば部がカバーグラス７に接する面積が広い方が前述した落下時の衝撃を分散する効果が高い。
【図面の簡単な説明】
【００３９】
【図１】本実施形態のプロジェクタの概略構成図
【図２】本実施形態のランプカバーの部品図
【図３】本実施形態のランプカバーに被せる保持部材の部品図と、この保持部材をランプカバーに組み込んだ状態を表す図
【符号の説明】
【００４０】
１−プロジェクタ、  １０−ランプユニット、  １１−画像投射ユニット
１２−投射レンズ、  １３−ランプ、  １４−吸気口、  １５−排気口
２−遮蔽材、  ２０−フランジ、  ２０１−取り付け孔
２０２−ランプ取り付け孔、  ２０３−ランプ取り付け孔、  ２０４−ランプ取り付け孔
２１−胴体、  ２１１−取り付け面
２２−取り付け部、  ２３−取り付け部、  ２５−開口部
２６１−突起部、  ２６２−突起部、  ２６３−突起部、  ２６４−突起部
２７１−位置決めピン、  ２７２−位置決めピン
２８１−取り付け穴、  ２８２−取り付け穴
３−ランプカバー、  ５０−メインファン、  ５１−メインファン
７−カバーグラス、  ８−保持部材、  ８０−カバーグラス収納部、  ８１−孔
８２１−つば部、  ８２２−つば部、  ８２３−つば部、  ８２４−つば部
８３１−Ｒ部、  ８３２−Ｒ部、  ８３３−Ｒ部、  ８３４−Ｒ部
８５１−屈曲部、  ８５２−屈曲部、  ８６１−取り付け部、  ８６２−取り付け部
８７１−位置決め用孔、  ８７２−位置決め用孔
８８１−取り付け孔、  ８８２−取り付け孔、  ９−筐体
【図１】
2007272039.tif 000003
【図２】
2007272039.tif 000004
【図３】
2007272039.tif 000005